(57)【要約】      （修正有）【課題】組立が簡単で且つ製造コストが低い液晶表示装置を提供する。【解決手段】フレームは内框及び内框１２の一端に結合されるシールド１１を具える。内框１２のシールドに対向する一端に案内斜面と第１係止構造が形成される。該シールドに弾性係止板１１２２と弾性片１１２３がプレス加工され、該シールドの側面に該弾性係止板と係合する第２係止構造１１５が設けられる。液晶表示モジュールの下表面にフレクシブル回路板の裸銅エリアが設置される。組み立てる時、シールドが案内斜面により簡単に内框１２の一端に結合され、さらに第２係止構造１１５により内框１２の第１係止構造と係合固定され、液晶表示モジュールのフレクシブル回路板の裸銅エリアがシールドの弾性係止板と接触し、且つ弾性片と電子装置内部の回路板３０が接触して導通し、これにより液晶表示装置内部及び外部の静電放電が解放され、これにより液晶表示装置の組立が簡単で且つ低コストとなる。【選択図】図９
0003150996.tif 000002
【実用新案登録請求の範囲】
【請求項１】
液晶表示装置において、
フレームであって、内框と該内框の一端に結合されるシールドを具え、該内框の該シールドに対応する一端に案内斜面及び第１係止構造が設けられ、該シールドに弾性係止板と弾性片がプレス加工され、該シールドの側面に該第１係止構造と係合する第２係止構造が設けられた、上記フレームと、
液晶表示モジュールであって、該フレーム内に固定され、該液晶表示モジュールの下表面に該弾性係止板と接触するフレクシブル回路板裸銅エリアが設置された、上記液晶表示モジュールと、
を包含したことを特徴とする、液晶表示装置。
【請求項２】
請求項１記載の液晶表示装置において、該フレームがプラスチック材料で形成され、該内框が複数の框辺を具え、各該框辺の外側端がそれぞれ上向きに垂直に延伸されて框壁が形成され、これら框辺と框壁に囲まれてなる方形空間を具えたことを特徴とする、液晶表示装置。
【請求項３】
請求項２記載の液晶表示装置において、二つの対向する該框壁の上表面の、該第１係止構造が凸設された一端に収容溝が開設され、且つ二つの対向する該框壁の下表面の、該第１係止構造が凸設された一端に、該框壁の内側に向けて傾斜する該案内斜面が形成されたことを特徴とする、液晶表示装置。
【請求項４】
請求項１又は請求項３記載の液晶表示装置において、該第１係止構造が凸塊とされ、該凸塊は長尺状のスライドブロックと該スライドブロックのほぼ中部に設けられた円柱状の係止ブロックを包含したことを特徴とする、液晶表示装置。
【請求項５】
請求項１記載の液晶表示装置において、該シールドが垂直に置かれるカバー板、該カバー板の上端と下端を垂直に折り曲げて延伸してなる上板と底板、該カバー板の前端と後端を垂直に折り曲げて延伸してなる側板を具え、該上板、該底板、該側板及びカバー板で囲まれて収容空間が形成され、該底板の両端が裁断され並びにプレス加工されて係止板溝と各該係止板溝より延伸された該弾性係止板と該弾性片が形成されたことを特徴とする、液晶表示装置。
【請求項６】
請求項１記載の液晶表示装置において、該第２係止構造が係止溝とされ、該係止溝は案内溝、該案内溝に連通する長尺状の滑り溝及び該滑り溝のほぼ中部に開設された円形の係止孔を包含することを特徴とする、液晶表示装置。
【考案の詳細な説明】
【技術分野】
【０００１】
本考案は一種の液晶表示装置に係り、特に静電放電防護構造を具えた液晶表示装置に関する。
【背景技術】
【０００２】
液晶表示装置の生産過程において、ソルダリング、コーティング及びスポッティング等の工程で、その内部に静電放電を発生しやすく、その内部電子装置を損壊することがある。並びにそれを電子装置に組み付けた後、使用過程で人体の摩擦或いはその他の外界の因子により発生する静電放電も、電子装置の組立の隙間を通り液晶表示装置内部に進入してその内部電子装置を損壊しうる。
【０００３】
図１及び図２は周知の液晶表示装置を示し、この液晶表示装置はフレーム１０’、該フレーム１０’に固定された液晶表示モジュール２０’及びフレーム１０’に粘着された異方性導電ゴム３０’を包含する。該フレーム１０’はケーシング１１’、該ケーシング１１’内に設置された内框１２’及びケーシング１１’と内框１２’上に結合されるカバーフレーム１３’を包含する。この液晶表示装置は相互に結合されるケーシング１１’とカバーフレーム１３’により外界の静電放電をシールドし、並びに異方性導電ゴム３０’と電子装置内部の回路板の導通により液晶表示装置内部及び外部の静電放電を釈放する。異方性導電ゴム３０’は銅箔などの導電物に置換可能である。
【考案の概要】
【考案が解決しようとする課題】
【０００４】
しかし、上述の周知の液晶表示装置の静電放電防護構造はケーシング１１’とカバーフレーム１３’及び異方性導電ゴム３０’で構成され、必要な材料が多く、組立が複雑で、製造コストが高かった。
【０００５】
本考案の目的は上述の周知の技術の不足に対して、一種の静電放電防護構造の組立が簡単で且つ製造コストが低い液晶表示装置を提供することにある。
【課題を解決するための手段】
【０００６】
上述の目的を達成するため、本考案の提供する液晶表示装置は、フレームとフレーム内に固定される液晶表示モジュールを包含する。該フレームは内框及び内框の一端に結合されるシールドを具える。内框のシールドに対向する一端に案内斜面と第１係止構造が形成される。該シールドに弾性係止板と弾性片がプレス加工され、該シールドの側面に該弾性係止板と係合する第２係止構造が設けられる。該液晶表示モジュールの下表面にフレクシブル回路板の裸銅エリアが設置される。
【考案の効果】
【０００７】
本考案を組み立てる時、シールドが案内斜面により簡単に内框の一端に結合され、さらに第２係止構造により内框の第１係止構造と係合固定され、液晶表示モジュールのフレクシブル回路板の裸銅エリアがシールドの弾性係止板と接触し、且つ弾性片と電子装置内部の回路板が接触して導通し、これにより液晶表示装置内部及び外部の静電放電が釈放され、これにより本考案の液晶表示装置の組立が簡単で且つ低コストとされる。
【図面の簡単な説明】
【０００８】
【図１】周知の液晶表示装置の立体図である。
【図２】図１の液晶表示装置の立体分解図である。
【図３】本考案の液晶表示装置の立体図である。
【図４】図３の液晶表示装置の立体分解図である。
【図５】図３の液晶表示装置のシールドの立体図である。
【図６】図３の液晶表示装置の内框の立体図である。
【図７】図３の液晶表示装置の別角度から見た立体図である。
【図８】図３の液晶表示装置を電子装置に組み付けた後の側面断面図である。
【図９】図８のＩＸ部分の局部拡大図である。
【考案を実施するための形態】
【０００９】
図３及び図４に示されるように、本考案の液晶表示装置はフレーム１０とフレーム１０内に固定される液晶表示モジュール２０を包含する。該フレーム１０は内框１２及び内框１２の一端に結合されるシールド１１で構成される。
【００１０】
図４及び図６に示されるように、内框１２はプラスチック材料で製造され、該内框１２は複数の框辺１２１を具え、各框辺１２１の外側縁がいずれも垂直に延伸されて框壁１２２が形成され、これら框辺１２１と框壁１２２で囲まれて方形空間（図示せず）が形成され、且つそのうち二つの対向する框壁１２２に第１係止構造が凸設され、本実施例では該第１係止構造は凸塊１２３とされ、凸塊１２３は長尺状のスライドブロック１２３１と該スライドブロック１２３１のほぼ中部に形成された円柱状係止ブロック１２３２で構成される。二つの対向する框壁１２２の上面の、凸塊１２３が凸設された一端に収容溝１２４が開設され、且つ二つの対向する框壁１２２の下表面の凸塊１２３が凸設された一端に、框壁１２２内側に向けて傾斜する案内斜面１２５が形成されている。
【００１１】
図４及び図５に示されるように、シールド１１は垂直に設置されるカバー板１１４を具え、カバー板１１４の上端及び下端がそれぞれ垂直に折り曲げられ延伸されて上板１１１と底板１１２が形成され、カバー板１１４の前後端はいずれも垂直に折り曲げられて延伸されて側板１１３が形成されている。上板１１１、底板１１２、側板１１３で囲まれて収容空間（図示せず）が形成される。二つの側板１１３に第１係止構造と係合する第２係止構造が設けられる。本実施例では、該第２係止構造は係止溝１１５とされ、係止溝１１５は案内溝１１５１、案内溝１１５１と連通する長尺状の滑り溝１１５２、及び滑り溝１１５２のほぼ中部に開設された円形の係止孔１１５３を包含する。底板１１２の両側はそれぞれ裁断され並びにプレス加工されて係止板溝１１２１と各係止板溝１１２１より延伸された弾性係止板１１２２と弾性片１１２３が形成される。
【００１２】
本考案の内框１２内に収容される液晶表示モジュール２０はその下表面にフレクシブル回路板の裸銅エリア２１が設置される。
【００１３】
図７から図９に示されるように、本考案の液晶表示装置は組立時に、液晶表示モジュール２０が内框１２の框辺１２１と框壁１２２に囲まれてなる方形空間内に置かれ、さらにシールド１１が内框１２の一側より結合され、内框１２の凸塊１２３がシールド１１の対応する係止溝１１５内に係合され、内框１２の一端がシールド１１の収容空間内に挿入される。弾性係止板１１２２が内框１２に当接する時、内框１２の案内斜面１２５に沿って下向きに弾性屈折し並びに内向きにスライドする。最終的に、シールド１１が完全に、内に液晶表示モジュール２０が置かれた内框１２に結合され、内框１２に設けられた収容溝１２４により、シールド１１の上板１１１と内框１２の框壁１２２の上表面が同一平面となる。このとき、弾性係止板１１２２と液晶表示モジュール２０下表面に設置されたフレクシブル回路板の裸銅エリア２１が当接する。
【００１４】
図８と図９に示されるように、本考案の液晶表示装置を移動電話に組み付けた後、弾性片１１２３は移動電話内部の回路板３０と当接する。
【００１５】
上述したように、本考案の液晶表示装置はシールド１１の弾性係止板１１２２と液晶表示モジュール２０のフレクシブル回路板の裸銅エリア２１の当接とシールド１１の弾性片１１２３と電子装置（本実施例中では移動電話）内部の回路板３０の接触により導通し、これにより液晶表示装置内部及び外部の静電放電が釈放される。本考案の液晶表示装置の静電放電防護構造はシールド１１が周知の技術におけるケーシング１１’、カバーフレーム１３’及び異方性導電ゴム３０’に代わって採用されたことにより、組立が簡単で製造コストが低い。
【００１６】
本考案の保護範囲は上述の実施例に限定されず、多種類の変更が可能であり、それらはいずれも実用新案登録請求の範囲内にある。例えば、凸塊１２３は係止突起の形状に形成可能で、係止溝１１５はそれに対応して形状を改変される。
【符号の説明】
【００１７】
１０’  フレーム            １１’  ケーシング
１２’  内框                １３’  カバーフレーム
２０’  液晶表示モジュール  ３０’  異方性導電ゴム
１０  フレーム              １１  シールド
１１１  上板                １１２  底板
１１２１  係止板溝          １１２２  弾性係止板
１１２３  弾性片            １１３  側板
１１４  カバー板            １１５  係止溝
１１５１  案内溝            １１５２  滑り溝
１１５３  係止孔            １２  内框
１２１  框辺                １２２  框壁
１２３  凸塊                １２３１  スライドブロック
１２３２  係止ブロック      １２４  収容溝
１２５  案内斜面            ２０  液晶表示モジュール
２１  裸銅エリア            ３０  回路板
【図１】
0003150996.tif 000003
【図２】
0003150996.tif 000004
【図３】
0003150996.tif 000005
【図４】
0003150996.tif 000006
【図５】
0003150996.tif 000007
【図６】
0003150996.tif 000008
【図７】
0003150996.tif 000009
【図８】
0003150996.tif 000010
【図９】
0003150996.tif 000011